(57)【要約】      （修正有）【課題】錠部材から外枠作動体への動力伝達を速やかに行うことができ、外枠作動体を速やかに作動させて外枠鉤を速やかに作動させることができる遊技機における施錠装置を提供する。【解決手段】施錠装置１７の外郭を形成する支持体１８には、外枠作動体２５が上下動可能に設けられている。その外枠作動体２５の上下両端部にはそれぞれ外枠鉤２６が回動可能に設けられている。また、支持体１８にはシリンダ錠Ｓが設けられ、そのシリンダ錠Ｓにはピニオン２２が軸着されている。外枠作動体２５にはラック２５ｃが設けられ、そのラック２５ｃは前記ピニオン２２と噛合されている。そして、鍵２３によりピニオン２２を回動させると、ピニオン２２とラック２５ｃとの噛合により外枠作動体２５が作動され、さらにその外枠作動体２５により外枠鉤２６が作動される。【選択図】      図２
2004236829.tif 000002
【特許請求の範囲】
【請求項１】
外枠と、遊技盤が保持されて外枠の前面に開閉可能に支持される前枠と、前枠の前面に開閉可能に支持されるガラス扉とから構成される遊技機の前記前枠に取着され、前枠を外枠に施錠するとともに、ガラス扉を前枠に施錠する遊技機における施錠装置であって、
前枠に固定される支持体には、前枠を外枠に施錠すべく当該外枠に係合する一対の外枠鉤と、該外枠鉤の解錠操作を行う錠部材と、この錠部材による外枠の解錠操作を外枠鉤に伝達すべく前記一対の外枠鉤に連結された一本の外枠作動体とが設けられ、前記錠部材には解錠操作に伴い回動するピニオンが取り付けられているとともに、前記外枠作動体には、前記ピニオンに噛合するラックが一体形成され、錠部材による外枠の解錠操作に伴うピニオンの回動により、同ピニオンと噛合した前記ラックを介して外枠作動体を作動させるように構成したことを特徴とする遊技機における施錠装置。
【請求項２】
前記ピニオンの厚みをラックの厚みよりも大きく形成したことを特徴とする請求項１に記載の遊技機における施錠装置。
【請求項３】
前記一対の外枠鉤はそれぞれ基端部が外枠作動体に連結されているとともに、先端側が外枠に係合するように形成され、一対の外枠鉤にはそれぞれ基端から当該外枠鉤の先端に向かって延びる延設片が設けられ、各延設片と、支持体との間に設けられた付勢部材により、各外枠鉤は外枠に係合する方向へ回動するように付勢されていることを特徴とする請求項１又は請求項２に記載の遊技機における施錠装置。
【発明の詳細な説明】
【０００１】
【発明の属する技術分野】
本発明は、パチンコ遊技機等の遊技機において、遊技盤が設けられた前枠を外枠に施錠するとともに、ガラス扉を前枠に施錠するための遊技機における施錠装置に関するものである。
【０００２】
【従来の技術】
従来より、遊技機の一種であるパチンコ遊技機は、その外郭が縦長四角枠状をなす本体枠と、本体枠に開閉可能に支持される前面枠と、前面枠の内側に保持される遊技盤とから構成されている。前面枠の一側部には施錠装置が装着され、その施錠装置により前面枠を本体枠に施錠できるようになっている。前記施錠装置は遊技機の前面枠に固定される基枠体と、基枠体に取り付けられる施錠杆とを備え、この施錠杆の上下端には施錠用鉤が突出形成されている。また、前記基枠体には、鍵によって施錠杆の施錠用鉤をスライド可能とするシリンダ錠が設けられている。この種の施錠装置としては、以下に示すものが知られている（例えば、特許文献１参照）。すなわち、シリンダ錠の軸端には略Ｖ字状をなすカム板が取り付けられ、鍵の回動方向と同一方向にカム板が回動可能になっているタイプのものである。
【０００３】
前記施錠杆には、カム板を回動させた際にカム板の突部に係合する係合孔が透設され、かつ施錠杆は引張りバネを介してその付勢力により基枠体に対して上方に付勢されている。前記施錠装置によって本体枠に前面枠が施錠された状態から前面枠を解錠するには、鍵を介してカム板を前面枠の解錠方向へ回動させ、カム板の突部を施錠杆の係合孔と係合させる。すると、施錠杆が引張りバネの付勢力に抗して下方にスライドされ、前記施錠用鉤と本体枠の受け金具との係合が解除される。その結果、前面枠が本体枠から解錠される。
【０００４】
【特許文献１】
特開２０００−２７１３２２号公報（第４頁〜第６頁、図５）
【０００５】
【発明が解決しようとする課題】
ところが、上記従来の遊技機における施錠装置においては、カム板の突部と施錠杆の係合孔との係合位置にずれが生じた場合は、鍵を介してカム板を回動させても速やかに施錠杆を作動させることができず、施錠用鉤を速やかに作動させることができないという問題があった。
【０００６】
この発明は、このような従来技術に存在する問題点に着目してなされたものである。その目的とするところは、錠部材から外枠作動体への動力伝達を速やかに行うことができ、外枠作動体を速やかに作動させて外枠鉤を速やかに作動させることができる遊技機における施錠装置を提供することにある。
【０００７】
【課題を解決するための手段】
上記問題点を解決するために、請求項１に記載の発明は、外枠と、遊技盤が保持されて外枠の前面に開閉可能に支持される前枠と、前枠の前面に開閉可能に支持されるガラス扉とから構成される遊技機の前記前枠に取着され、前枠を外枠に施錠するとともに、ガラス扉を前枠に施錠する遊技機における施錠装置であって、前枠に固定される支持体には、前枠を外枠に施錠すべく当該外枠に係合する一対の外枠鉤と、該外枠鉤の解錠操作を行う錠部材と、この錠部材による外枠の解錠操作を外枠鉤に伝達すべく前記一対の外枠鉤に連結された一本の外枠作動体とが設けられ、前記錠部材には解錠操作に伴い回動するピニオンが取り付けられているとともに、前記外枠作動体には、前記ピニオンに噛合するラックが一体形成され、錠部材による外枠の解錠操作に伴うピニオンの回動により、同ピニオンと噛合した前記ラックを介して外枠作動体を作動させるように構成したことを要旨とする。
【０００８】
請求項２に記載の発明は、請求項１に記載の遊技機における施錠装置において、前記ピニオンの厚みをラックの厚みよりも大きく形成したことを要旨とする。請求項３に記載の発明は、請求項１又は請求項２に記載の遊技機における施錠装置において、前記一対の外枠鉤はそれぞれ基端部が外枠作動体に連結されているとともに、先端側が外枠に係合するように形成され、一対の外枠鉤にはそれぞれ基端から当該外枠鉤の先端に向かって延びる延設片が設けられ、各延設片と、支持体との間に設けられた付勢部材により、各外枠鉤は外枠に係合する方向へ回動するように付勢されていることを要旨とする。
【０００９】
【発明の実施の形態】
以下、本発明を具体化した遊技機における施錠装置の一実施形態を図１〜図６にしたがって説明する。まず、図５及び図６に示すように遊技機の一種であるパチンコ遊技機１１は、その外郭が縦長四角枠状をなす外枠１２により形成され、この外枠１２の左側部には、四角枠状をなす前枠１３が開閉可能に支持されている。また、図５に破線に示すように、外枠１２の右側部の内面には上下一対の外枠係合金具Ｋが設けられ、それら外枠係合金具Ｋは前枠１３を外枠１２に施錠するために外枠１２に設けられている。前記前枠１３には図示しない打球発射装置、球皿等のパチンコゲームを展開可能とする遊技構成部材が搭載できるとともに、前枠１３の内側には遊技盤１４が保持されている。
【００１０】
図６に示すように、前枠１３の左側部にはガラス扉１５が開閉可能に支持されている。前記ガラス扉１５の右側部の裏面には上下一対のガラス扉鉤Ｇが設けられ、それらガラス扉鉤Ｇはガラス扉１５を前枠１３に施錠するためにガラス扉１５に設けられている。さらに、ガラス扉１５の下方における前枠１３の左側部には、上皿扉１６が開閉可能に支持され、この上皿扉１６には図示しないパチンコ球を貯留するための上皿が備えられている。図５に示すように、前枠１３の右側部の背面には縦長四角状の施錠装置１７が装着され、この施錠装置１７によりガラス扉１５を前枠１３に施錠でき、前枠１３を外枠１２に施錠できるようになっている。なお、以下において上下左右は、パチンコ遊技機１１を前方から見た場合の上下左右を示すものとする。
【００１１】
図１及び図２（ａ）に示すように、施錠装置１７は、亜鉛メッキ鋼板等から細長四角板状に形成された支持体１８によって外郭が形成されている。この支持体１８は縦長四角板状の固定板１８ａと、固定板１８ａの左側から背面方向に折り曲げ形成された側板１８ｂとを備えている。図１に示すように、固定板１８ａの上部及び下部には、それぞれ平面視Ｔ字状をなす取付片１９が一対ずつ切り起こし形成され、上下各一対の取付片１９の間にはそれぞれ掛止突片２０が切り起こし形成されている。また、固定板１８ａの上部における取付片１９の下側と、固定板１８ａの下縁部とにはそれぞれ第１掛止フック２１が、固定板１８ａを切り起こし、さらに下方へ延びるように折り曲げて形成されている。図２（ａ）、（ｂ）に示すように、固定板１８ａにおいて、前記各第１掛止フック２１より右側にはそれぞれ貫通孔１８ｄが透設されている。
【００１２】
図１に示すように、固定板１８ａの下部には錠部材としてのシリンダ錠Ｓが装着され、そのシリンダ錠Ｓには円盤状をなすピニオン２２が軸着されている。そして、シリンダ錠Ｓの先端側から鍵２３を挿入して解錠操作を行うべく鍵２３を回動させると、その鍵２３の回動方向と同一方向にピニオン２２が回動するようになっている。前記側板１８ｂの上部及び下部の端縁には、それぞれ背面視Ｌ字状をなすストッパー片２４が延設されている。
【００１３】
図２（ａ）に示すように、上記構成の支持体１８において側板１８ｂの内側には、細長板状をなす外枠作動体２５が上下動可能に設けられ、この外枠作動体２５の両端部には、それぞれ細長板状をなす外枠鉤２６が連結されている。まず、前記外枠作動体２５について説明する。図１に示すように、外枠作動体２５の上下両部及び中央よりやや下部にはそれぞれスライド孔２５ａが透設され、各スライド孔２５ａはそれぞれ外枠作動体２５の長さ方向に細長に延びるように形成されている。外枠作動体２５の上端部及び中央部より下側にはそれぞれ係止突片２５ｂが、右方向に延びるように折り曲げ形成されている。
【００１４】
また、外枠作動体２５の下部は左側へ膨出するように折り曲げ形成され、その膨出部分の端縁にはラック２５ｃが形成されている。前記ラック２５ｃは、同ラック２５ｃを構成する歯となる部分が右方向に突出するように形成されている。加えて、外枠作動体２５において、施錠装置１７の背面側となる端縁の上下両部には、それぞれ押圧突片２５ｆが突出形成されている。
【００１５】
上記構成の外枠作動体２５はリベットＲが前記３箇所のスライド孔２５ａを貫通して側板１８ｂにかしめ着けられることにより側板１８ｂの内側に取り付けられている。また、外枠作動体２５が側板１８ｂの内側に取り付けられるとき、上下一対のリベットＲは、それぞれ外枠鉤２６の基端部を貫通して側板１８ｂにかしめ着けられるため、外枠作動体２５の上下両部にはそれぞれ外枠鉤２６が連結されている。そして、外枠作動体２５は、前記スライド孔２５ａの長さ方向への長さ分だけ支持体１８に沿ってスライド移動可能に構成されている。また、図２（ａ）に示すように、外枠作動体２５が側板１８ｂの内側に取り付けられた状態において、前記ラック２５ｃは前記ピニオン２２と噛合するように配設されている。
【００１６】
前記一対の外枠鉤２６は、それぞれ細長板状に形成された鉤部２６ａと、同鉤部２６ａの基端から延設された延設片２６ｂとから略Ｕ字状に形成されている。前記鉤部２６ａは、基端部がリベットＲにより側板１８ｂに軸支されているとともに、先端側には下方へ開口する係合凹所２６ｃが形成され、この係合凹所２６ｃは外枠係合金具Ｋと係合可能に形成されている。前記延設片２６ｂは、鉤部２６ａの基端から右方向に延びた後、鉤部２６ａの先端側に向かって延びるように折り曲げ形成されている。各延設片２６ｂの先端には、それぞれ付勢部材としての第１コイルばねＣ１の一端（上端）が掛止され、それら第１コイルばねＣ１の他端（下端）は、固定板１８ａの上下各第１掛止フック２１に掛止されている。即ち、延設片２６ｂと支持体１８との間に第１コイルばねＣ１が設けられ、各第１コイルばねＣ１により、各外枠鉤２６は下方、具体的には外枠鉤２６が外枠係合金具Ｋに係合する方向へ回動するように付勢されている。
【００１７】
また、各外枠鉤２６は、前記鉤部２６ａが側板１８ｂとストッパー片２４との間に配置され、延設片２６ｂがストッパー片２４より右側に位置するように配設されている。そして、前枠１３と外枠１２とが施錠されていない状態では、鉤部２６ａの下端縁がストッパー片２４に当接して外枠鉤２６の回動が規制されている。各外枠鉤２６の回動が規制された状態では、外枠鉤２６は、前枠１３が閉止方向へ回動されたとき、その前枠１３の外枠係合金具Ｋと対応する位置に位置決めされている。
【００１８】
各鉤部２６ａの上端縁には当接片２６ｄが左方向に延びるように形成されている。図３（ａ）に示すように、各当接片２６ｄは、外枠作動体２５が上方へスライド移動したとき、外枠作動体２５の押圧突片２５ｆによりそれぞれ下方から上方に向かって押圧され、その押圧により外枠鉤２６が回動するようになっている。さらに、外枠鉤２６が回動したとき、当接片２６ｄが側板１８ｂの端縁に当接するようになっている。
【００１９】
次に、ガラス扉１５の前枠１３に対する施錠機構について詳述する。図１に示すように、固定板１８ａの上下両部の内側には、それぞれガラス扉作動体２７が設けられ、各ガラス扉作動体２７によりガラス扉１５を前枠１３に施錠及び解錠することが可能となっている。前記ガラス扉作動体２７はそれぞれ細長四角板状をなす金属板を断面Ｕ字状に折り曲げ形成し、さらに、所定部位を切り欠くことによって形成されている。各ガラス扉作動体２７の上部には、第１ガイド孔２７ａがガラス扉作動体２７の上端縁から下方へ延びるように形成され、その第１ガイド孔２７ａの下側には略四角形状をなす係合孔２７ｃが透設されている。ガラス扉作動体２７において、図２（ｂ）に示すように、前記係合孔２７ｃより下側の内面はガラス扉鉤Ｇが係合可能な係合部２７ｇとなっている。
【００２０】
図１に示すように、各ガラス扉作動体２７において、前記係合孔２７ｃの下側にはそれぞれＴ字状をなす第２ガイド孔２７ｂが透設されている。各ガラス扉作動体２７の左側縁部のほぼ中央には、係止突部２７ｄが支持体１８の背面に向かって延びるように折り曲げ形成され、同左側縁部の下部には第２掛止フック２７ｅが支持体１８の背面に向かって延びるように折り曲げ形成されている。
【００２１】
そして、図２（ａ）、（ｂ）に示すように、両ガラス扉作動体２７は、第１ガイド孔２７ａ及び第２ガイド孔２７ｂに前記取付片１９が挿入され、係合孔２７ｃに前記掛止突片２０が挿入された状態で下方へスライド移動されて固定板１８ａに取り付けられている。即ち、両ガラス扉作動体２７は、各取付片１９の先端部が、第１ガイド孔２７ａ及び第２ガイド孔２７ｂの縁部に係止されることにより固定板１８ａに取り付けられている。
【００２２】
また、各係合孔２７ｃを通過した掛止突片２０には、それぞれ第２コイルばねＣ２の一端（上端）が掛止され、それら第２コイルばねＣ２の他端（下端）はそれぞれ各ガラス扉作動体２７の第２掛止フック２７ｅに掛止されている。そして、前記第２コイルばねＣ２により、各ガラス扉作動体２７はそれぞれ上方に付勢されている。各ガラス扉作動体２７がそれぞれ第２コイルばねＣ２により上方に付勢された状態では、各取付片１９の下面に第１ガイド孔２７ａ及び第２ガイド孔２７ｂの内周縁が当接して、各ガラス扉作動体２７はそれぞれ上方への移動が規制されている。このとき、各ガラス扉作動体２７は、係合孔２７ｃが固定板１８ａの貫通孔１８ｄと対応するように配置され、係止突部２７ｄの真上に外枠作動体２５の係止突片２５ｂが位置するように配置されている。
【００２３】
次に、前記施錠装置１７の作用について以下に記載する。
まず、前枠１３の外枠１２に対する施錠について説明する。施錠装置１７を備えた前枠１３を閉止方向へ回動させると、一対の外枠係合金具Ｋにより一対の外枠鉤２６が、それぞれ第１コイルばねＣ１の付勢力に抗して押し上げられるとともに、各第１コイルばねＣ１が伸長される。そして、一対の外枠係合金具Ｋが各係合凹所２６ｃの下側に位置すると、外枠係合金具Ｋによる外枠鉤２６の押し上げが解除され、伸長した第１コイルばねＣ１の原形状への復帰により各外枠鉤２６が下方へ引張られる。すると、図２（ａ）に示すように、各外枠鉤２６の係合凹所２６ｃがそれぞれ外枠係合金具Ｋに係合して前枠１３が外枠１２に施錠され、各第１コイルばねＣ１の付勢力により外枠鉤２６が外枠係合金具Ｋに係合した状態が維持される。
【００２４】
前枠１３が外枠１２に施錠された状態で、不正行為によって外枠作動体２５を直接的に操作して押し上げようとしても、ピニオン２２とラック２５ｃの歯同士が複数箇所で噛合しているため、それら噛合箇所には大きな摩擦力が発生する。さらに、外枠作動体２５を押し上げようとする際に、ラック２５ｃの歯とピニオン２２の歯との間に滑りが生じ、このときにも摩擦力が発生する。その結果、ラック２５ｃとピニオン２２との噛合が大きな摩擦抵抗となり、外枠作動体２５を不正行為によって押し上げ、外枠鉤２６を回動させて前枠１３を解錠する行為が困難となる。
【００２５】
前枠１３が外枠１２に施錠されている状態から前枠１３を解錠するには、まずシリンダ錠Ｓに鍵２３を差し込み、前枠１３の解錠方向に回動させる。すると、図３（ｂ）に示すように、ピニオン２２の複数の歯がラック２５ｃの複数の歯に噛合しているため、各歯が即座に噛合い、ピニオン２２の回動がラック２５ｃに速やかに伝達され、外枠作動体２５が速やかに作動される。そして、ラック２５ｃがピニオン２２の回動により押し上げられ、同ラック２５ｃを介して外枠作動体２５が上方へスライドする。このとき、ピニオン２２の厚みは、ラック２５ｃの厚みよりも大きく形成されているため、ピニオン２２の回動時に、同ピニオン２２がラック２５ｃから離脱することが防止される。
【００２６】
そして、外枠作動体２５が上方へスライドされると、図３（ａ）に示すように、各押圧突片２５ｆにより当接片２６ｄが上方へ押されて、各外枠鉤２６がそれぞれ第１コイルばねＣ１の付勢力に抗して回動し、各外枠鉤２６の先端が上方へ向くとともに、各第１コイルばねＣ１が伸長される。これに伴って、各外枠鉤２６の係合凹所２６ｃの外枠係合金具Ｋに対する係合が解除され、外枠１２から前枠１３が解錠される。
【００２７】
前枠１３の解錠後、鍵２３の回動作業を解除すると、一対の伸長した第１コイルばねＣ１の原形状への復帰により一対の外枠鉤２６は先端が下方へ移動する方向に引張られて回動される。このとき、各外枠鉤２６の鉤部２６ａの下端がそれぞれストッパー片２４の内面に当接して、外枠鉤２６の必要以上の回動が規制される。また、各外枠鉤２６が回動する際に、当接片２６ｄが押圧突片２５ｆを下方へ押すため、外枠作動体２５は下方へ押され、外枠作動体２５及び外枠鉤２６が解錠前の状態に戻る。
【００２８】
次に、ガラス扉１５の施錠及び解錠について説明する。ガラス扉１５を前枠１３に施錠するには、ガラス扉１５を前枠１３方向へ回動させると、一対のガラス扉鉤Ｇがそれぞれ貫通孔１８ｄ内に挿入され、さらに、各ガラス扉作動体２７がガラス扉鉤Ｇにより下方へ押し下げられる。すると、図２（ｂ）に示すように、一対のガラス扉鉤Ｇがそれぞれ係合孔２７ｃの周縁部となるガラス扉作動体２７の係合部２７ｇに係合してガラス扉１５が前枠１３に施錠される。
【００２９】
ガラス扉１５を前枠１３から解錠するには、まず鍵２３をガラス扉１５の解錠方向に回動させる。このときも、ピニオン２２の複数の歯がラック２５ｃの複数の歯に噛合しているため、各歯が即座に噛合い、ピニオン２２の回動がラック２５ｃに速やかに伝達され、外枠作動体２５が速やかに作動される。すると、図４（ｂ）に示すように、ピニオン２２はラック２５ｃに噛合した状態で鍵２３の回動方向と同一方向に回動する。そして、ラック２５ｃがピニオン２２の回動により押し下げられ、同ラック２５ｃを介して外枠作動体２５が下方へ押し下げられる。
【００３０】
これに伴って、各係止突片２５ｂが各ガラス扉作動体２７の係止突部２７ｄの上端縁に係止し、各ガラス扉作動体２７はそれぞれ第２コイルばねＣ２の付勢力に抗して押し下げられてスライド移動するとともに、それら第２コイルばねＣ２は伸長される。すると、ガラス扉鉤Ｇが係合していたガラス扉作動体２７の内面部位が下方へ移動し、ガラス扉鉤Ｇの係合部２７ｇに対する係合が解除される。
【００３１】
ガラス扉１５の解錠後、鍵２３の回動作業を解除すると、一対の伸長した第２コイルばねＣ２の原形状への復帰により、一対のガラス扉作動体２７は上方へ引張られてスライド移動する。このとき、各ガラス扉作動体２７の係止突部２７ｄにより外枠作動体２５の係止突片２５ｂが押し上げられるため、外枠作動体２５も押し上げられ、ガラス扉作動体２７及び外枠作動体２５が解錠前の状態に戻る。
【００３２】
前記の実施形態によって発揮される効果について、以下に記載する。
（１）外枠作動体２５は、ラック２５ｃの複数の歯がピニオン２２の複数の歯に噛合した状態で支持体１８に設けられている。そのため、ピニオン２２を回動させたとき、ピニオン２２の歯がラック２５ｃの歯に速やかに係合して外枠作動体２５を速やかかつ確実にスライド移動させることができる。従って、外枠作動体２５に連結された一対の外枠鉤２６を、鍵２３の操作により速やかかつ確実に作動させて前枠１３の解錠作業を容易に行うことができる。
【００３３】
（２）また、ピニオン２２の歯とラック２５ｃの歯とが複数箇所で噛合しているため、外枠作動体２５を移動させる際には、ピニオン２２とラック２５ｃとの間に大きな摩擦力が発生する。従って、鍵２３を使用せず、外枠作動体２５を移動させるには大きな力が必要となり、不正行為により外枠作動体２５を移動させることが困難となるため前枠１３の不正解錠を行いにくくすることができる。
【００３４】
（３）外枠作動体２５は外枠鉤２６に直接的に連結されている。そのため、鍵２３による前枠１３の解錠操作は外枠作動体２５から外枠鉤２６に直接的に伝達され、外枠鉤２６を速やかに作動させることができる。従って、前枠１３の解錠を速やかに行うことができる。
【００３５】
（４）各外枠鉤２６は、鉤部２６ａがそれぞれ側板１８ｂとストッパー片２４との間に位置するように支持体１８に配置されている。そのため、外枠鉤２６の回動時の横ぶれをストッパー片２４により規制することができ、外枠鉤２６を係合凹所２６ｃが外枠係合金具Ｋに係合する位置に確実に配置することができるとともに、前枠１３と外枠１２とを確実に施錠することができる。
【００３６】
（５）各外枠鉤２６が第１コイルばねＣ１により下方へ引張られたとき、外枠鉤２６はそれぞれストッパー片２４に当接して、その回動が規制される。そのため、例えば、外枠鉤２６の基端部を固定板１８ａに当接させて外枠鉤２６の回動を規制させる場合と比較して、固定板１８ａが損傷を受ける不具合の発生を防止できる。また、各外枠鉤２６と外枠係合金具Ｋが係合する前の状態では、外枠鉤２６がストッパー片２４に当接することにより、当該外枠鉤２６を外枠係合金具Ｋの延長線上に位置決めすることができる。従って、前枠１３を閉止方向へ回動させたとき、外枠鉤２６と外枠係合金具Ｋとを確実に係合させることができる。
【００３７】
（６）ピニオン２２の厚みはラック２５ｃの厚みよりも大きく形成されている。このため、外枠作動体２５が移動されるとき、同外枠作動体２５がピニオン２２の厚み方向に若干移動しても、ピニオン２２とラック２５ｃとが噛合した状態を維持することができ、外枠作動体２５を確実に作動させることができる。
【００３８】
（７）各延設片２６ｂの先端に第１コイルばねＣ１の一端が掛止され、第１掛止フック２１に第１コイルばねＣ１の他端が掛止されている。そのため、第１コイルばねＣ１の一端を、鉤部２６ａの基端に掛止し、他端を第１掛止フック２１に掛止する場合と比較して、第１コイルばねＣ１を伸長させることができ、外枠鉤２６を外枠係合金具Ｋに係合する方向に強力に付勢することができる。また、外枠鉤２６に延設片２６ｂを設けることにより、第１コイルばねＣ１の一端を外枠鉤２６に掛止する位置の選択の自由度が広がり、外枠鉤２６を所望する方向へ付勢する力を調節することが可能となる。
【００３９】
（８）各外枠鉤２６はそれぞれ外枠作動体２５に対して独立して回動可能となるように外枠作動体２５に連結されている。そのため、万一、不正行為により一方の外枠鉤２６が回動されて、係合凹所２６ｃと外枠係合金具Ｋとの係合が解除されても、他方の外枠鉤２６の係合凹所２６ｃと外枠係合金具Ｋとの係合を維持できる。従って、不正行為により、前枠１３が容易に解錠されてしまうといった不具合を無くすことができる。
【００４０】
（９）ガラス扉鉤Ｇがガラス扉作動体２７の係合部２７ｇに係合することによりガラス扉１５が前枠１３に施錠され、各ガラス扉作動体２７を作動させてガラス扉鉤Ｇとの係合を解除することによりガラス扉１５が前枠１３から解錠される。即ち、施錠装置１７は、支持体１８にガラス扉作動体２７を移動可能に設けるだけでガラス扉１５の前枠１３に対する施錠及び解錠を行うことができる。
【００４１】
なお、本実施形態は、次のように変更して具体化することも可能である。
・  実施形態では、各ガラス扉作動体２７の係合部２７ｇにガラス扉鉤Ｇが係合してガラス扉１５と前枠１３とを施錠するように構成したが、以下のように変更してもよい。図７及び図８に示すように、各ガラス扉作動体２７の前面側にそれぞれガラス扉鉤２７ｆを一体形成し、そのガラス扉作動体２７をガラス扉鉤２７ｆが貫通孔１８ｄを貫通するように固定板１８ａに取り付ける。一方、図８に示すように、ガラス扉１５には、ガラス扉鉤Ｇの代わりに、前記ガラス扉鉤２７ｆが係合可能なガラス扉金具３０が上下一対に設けられている。
【００４２】
そして、ガラス扉１５を閉止方向に回動させると、前記ガラス扉金具３０により、各ガラス扉作動体２７がそれぞれ第２コイルばねＣ２の付勢力に抗して押し下げられてスライド移動する。その各ガラス扉作動体２７の押し下げにより各第２コイルばねＣ２は伸長される。ガラス扉金具３０がガラス扉鉤２７ｆと係合可能な位置まで押し下げられると、図８に２点鎖線に示すように、伸長された一対の第２コイルばねＣ２の原形状への復帰により、ガラス扉作動体２７が上方へ引張られ、ガラス扉鉤２７ｆがガラス扉金具３０に係合する。その結果、ガラス扉１５が前枠１３に対して施錠される。
【００４３】
一方、前枠１３に対して施錠状態にあるガラス扉１５を解錠するには、実施形態と同様に、鍵２３により外枠作動体２５を押し下げ、その外枠作動体２５の作動により各ガラス扉作動体２７を押し下げてスライド移動させる。すると、図８に実線に示すように、ガラス扉鉤２７ｆとガラス扉金具３０との係合が解除され、ガラス扉１５が前枠１３から解錠される。従って、鍵２３による外枠作動体２５の作動により、ガラス扉鉤２７ｆを備えたガラス扉作動体２７がスライド移動して、ガラス扉１５の解錠を行うことができる。また、ガラス扉作動体２７にガラス扉鉤２７ｆを設けた場合は、ガラス扉１５にガラス扉金具３０を設ければよいため、ガラス扉１５の裏面からガラス扉金具３０が突出することがなく、その外観が損なわれることがなくなる。
【００４４】
・  実施形態では、各外枠鉤２６に延設片２６ｂを設けたが、延設片２６ｂを省略し、鉤部２６ａの基端又は任意の位置と第１掛止フック２１との間に第１コイルばねＣ１を設けてもよい。さらには、第１コイルばねＣ１の一端を掛止する位置を延設片２６ｂの先端以外の位置に設定して、第１コイルばねＣ１による付勢力を調節してもよい。
【００４５】
・  実施形態では、ピニオン２２の厚みをラック２５ｃの厚みより大きく形成したが、ピニオン２２の厚みとラック２５ｃの厚みとを同じに形成してもよく、ピニオン２２の厚みをラック２５ｃの厚みより小さく形成してもよい。
【００４６】
・  実施形態では、各外枠鉤２６をリベットＲにより外枠作動体２５に連結したが、各外枠鉤２６を、外枠鉤用ピニオンを介してリベットＲにより側板１８ｂに固定してもよい。このとき、押圧突片２５ｆの代わりに外枠作動体２５には外枠鉤用ラックが設けられ、前記外枠鉤用ピニオンと外枠鉤用ラックとは噛合されている。そして、鍵２３の前枠１３の解錠操作により外枠作動体２５を作動させたとき、外枠鉤用ラックと外枠鉤用ピニオンとの噛合により外枠鉤２６が回動して外枠係合金具Ｋとの係合を解除することができる。
【００４７】
さらに、外枠作動体２５を不正に移動させようとする場合には、各外枠鉤用ピニオンと外枠鉤用ラックとの噛合、さらにはピニオン２２とラック２５ｃとの噛合により大きな摩擦力が生じるため、外枠作動体２５を作動させることが困難となる。従って、外枠鉤２６の回動を効果的に防止することができる。
【００４８】
・  ピニオン２２の形状を扇状に形成してもよい。また、ピニオン２２を形成する材料として、ポリアセタール樹脂、ナイロン樹脂等の合成樹脂を用いてもよい。
【００４９】
さらに、前記実施形態より把握できる技術的思想について以下に記載する。
（１）前記支持体には、前記ガラス扉を前枠に施錠及び解錠するためのガラス扉作動体が設けられているとともに、当該ガラス扉作動体には、ガラス扉に係合するガラス扉鉤又はガラス扉に設けられたガラス扉鉤が係合する係合部が設けられ、当該ガラス扉作動体は前記錠部材のガラス扉の解錠操作による外枠作動体の作動によりスライド移動して前記ガラス扉鉤のガラス扉に対する係合又は係合部に対するガラス扉鉤の係合を解除させることを特徴とする請求項１〜請求項３のいずれか一項に記載の遊技機における施錠装置。このように構成した場合、ガラス扉の前枠に対する施錠及び解錠を容易に行うことができる。
【００５０】
（２）前記支持体には、外枠鉤の回動を規制し、当該外枠鉤を所定位置に位置決めするためのストッパー片が設けられていることを特徴とする請求項１〜請求項３及び前記技術的思想（１）のいずれか一項に記載の遊技機における施錠装置。
【００５１】
（３）前記付勢部材は、その一端が前記延設片の先端に掛止され、他端が支持体に掛止されていることを特徴とする請求項３に記載の遊技機における施錠装置。このように構成した場合、付勢部材の一端を、外枠鉤の基端に掛止し、他端を支持体に掛止する場合と比較して、付勢部材を伸長させることができ、外枠鉤を外枠に係合する方向に強力に付勢することができる。
【００５２】
【発明の効果】
本発明によれば、錠部材から外枠作動体への動力伝達を速やかに行うことができ、外枠作動体を速やかに作動させて外枠鉤を速やかに作動させることができる。
【図面の簡単な説明】
【図１】実施形態の施錠装置を構成する部材を示す分解斜視図。
【図２】（ａ）は実施形態の施錠装置を示す部分斜視図、（ｂ）は実施形態の施錠装置を示す部分側断面図。
【図３】（ａ）は前枠の解錠状態を示す側断面図、（ｂ）は前枠の解錠状態における施錠装置を示す背面図。
【図４】（ａ）はガラス扉の解錠状態を示す側断面図、（ｂ）はガラス扉の解錠状態における施錠装置を示す背面図。
【図５】実施形態のパチンコ遊技機を示す斜視図。
【図６】実施形態のパチンコ遊技機を示す斜視図。
【図７】別例の施錠装置を構成する部材を示す分解斜視図。
【図８】別例の施錠装置を示す側断面図。
【符号の説明】
Ｓ…錠部材としてのシリンダ錠、Ｃ１…付勢部材としての第１コイルばね、１１…遊技機としてのパチンコ遊技機、１２…外枠、１３…前枠、１４…遊技盤、１５…ガラス扉、１７…施錠装置、１８…支持体、２２…ピニオン、２５…外枠作動体、２５ｃ…ラック、２６…外枠鉤、２６ｂ…延設片。
【図１】
2004236829.tif 000003
【図２】
2004236829.tif 000004
【図３】
2004236829.tif 000005
【図４】
2004236829.tif 000006
【図５】
2004236829.tif 000007
【図６】
2004236829.tif 000008
【図７】
2004236829.tif 000009
【図８】
2004236829.tif 000010